(57)【要約】【課題】ドアの開閉不良を防止し、さらに、定期的な清掃を不要にすることができるエレベータ敷居溝塞ぎ装置を提供する。【解決手段】エレベータ敷居溝塞ぎ装置６Ａにおいて、敷居溝４に摺動可能に設けられたドア２ａ、２ｂの敷居溝４側の端部に接続され、敷居溝４を塞ぐ塞ぎ部材１１ａ、１１ｂと、敷居溝４に沿って塞ぎ部材１１ａ、１１ｂを巻き取る巻取部１２ａ、１２ｂとを備える。【選択図】図３
2007176687.tif 000002
【特許請求の範囲】
【請求項１】
敷居溝に摺動可能に設けられたドアの前記敷居溝側の端部に接続され、前記敷居溝を塞ぐ塞ぎ部材と、
前記敷居溝に沿って前記塞ぎ部材を巻き取る巻取部と、
を備えることを特徴とするエレベータ敷居溝塞ぎ装置。
【請求項２】
前記塞ぎ部材は樹脂材料により形成されていることを特徴とする請求項１記載のエレベータ敷居溝塞ぎ装置。
【請求項３】
前記巻取部は前記ドアを摺動させることを特徴とする請求項１又は２記載のエレベータ敷居溝塞ぎ装置。
【請求項４】
前記塞ぎ部材に接触し、前記塞ぎ部材を清掃する清掃部を備えることを特徴とする請求項１、２又は３記載のエレベータ敷居溝塞ぎ装置。
【請求項５】
前記塞ぎ部材に接触し、前記塞ぎ部材に潤滑油を供給する油供給部を備えることを特徴とする請求項１、２、３又は４記載のエレベータ敷居溝塞ぎ装置。
【発明の詳細な説明】
【技術分野】
【０００１】
本発明は、エレベータの敷居溝を塞ぐエレベータ敷居溝塞ぎ装置に関する。
【背景技術】
【０００２】
通常、エレベータドア装置は、乗降口となるドア、そのドアを吊り下げるハンガー、そのハンガーに設けられたローラを回転可能に支持するハンガーレール、及び、ドアの下端部に設けられたガイドシューを案内する敷居溝（シル溝）を有する敷居（ドアシル）等を備えている（例えば、特許文献１参照）。
【特許文献１】特開平６−１２７８７５号公報
【発明の開示】
【発明が解決しようとする課題】
【０００３】
しかしながら、エレベータドア装置の敷居溝には、ゴミや小石等の異物が挟まることがあり、ドアの開閉不良が発生してしまう。このドアの開閉不良を防止するため、さらに、ゴミが溜まることによる美観上の不利をなくすためにも、定期的に敷居溝を清掃する必要が生じてしまう。
【０００４】
本発明は、上記に鑑みてなされたものであり、その目的は、ドアの開閉不良を防止し、さらに、定期的な清掃を不要にすることができるエレベータ敷居溝塞ぎ装置を提供することである。
【課題を解決するための手段】
【０００５】
本発明の実施の形態に係る特徴は、エレベータ敷居溝塞ぎ装置において、敷居溝に摺動可能に設けられたドアの敷居溝側の端部に接続され、敷居溝を塞ぐ塞ぎ部材と、敷居溝に沿って塞ぎ部材を巻き取る巻取部とを備えることである。
【発明の効果】
【０００６】
本発明によれば、ドアの開閉不良を防止し、さらに、定期的な清掃を不要にすることができる。
【発明を実施するための最良の形態】
【０００７】
（第１の実施の形態）
本発明の第１の実施の形態について図１ないし図５を参照して説明する。
【０００８】
図１に示すように、本発明の第１の実施の形態に係るエレベータドア装置１Ａは、中央両開き式のエレベータドア装置である。このエレベータドア装置１Ａは、乗客等の利用者が乗る乗りかごが昇降する昇降路の内壁に設けられている。
【０００９】
図１及び図２に示すように、エレベータドア装置１Ａは、乗降口となる２つのドア２ａ、２ｂと、それらのドア２ａ、２ｂを吊り下げて開閉可能に支持するドア支持部３と、各ドア２ａ、２ｂを開閉方向に案内する敷居溝（シル溝）４を有する敷居（ドアシル）５と、その敷居溝４を塞ぐエレベータ敷居溝塞ぎ装置６Ａとを備えている。
【００１０】
ドア支持部３は、各ドア２ａ、２ｂをそれぞれ吊り下げる４つのハンガー７ａ、７ｂ、７ｃ、７ｄと、それらのハンガー７ａ、７ｂ、７ｃ、７ｄにそれぞれ設けられた４つのローラ８ａ、８ｂ、８ｃ、８ｄを回転可能に支持するハンガーレール９とから構成されている。ハンガーレール９は、各ドア２ａ、２ｂに向かってその上部、すなわち三方枠Ｗの上部に位置付けられ、昇降路の内壁に水平に設けられている。このドア支持部３は、ハンガーレール９により各ローラ８ａ、８ｂ、８ｃ、８ｄを支持し、各ドア２ａ、２ｂを開閉可能に保持している。
【００１１】
各ドア２ａ、２ｂの敷居溝４側の端部Ｔ１、Ｔ２には、ガイドシュー１０ａ、１０ｂ、１０ｃ、１０ｄがそれぞれ２つずつ設けられている。これらのガイドシュー１０ａ、１０ｂ、１０ｃ、１０ｄが敷居溝４にスライド可能（摺動可能）に嵌められ、各ドア２ａ、２ｂは溝方向、すなわち開閉方向にスライド可能に設けられている。敷居溝４は、その溝方向、すなわち開閉方向にガイドシュー１０ａ、１０ｂ、１０ｃ、１０ｄを案内する。
【００１２】
図３及び図４に示すように、エレベータ敷居溝塞ぎ装置６Ａは、各ドア２ａ、２ｂの敷居溝４側の各端部Ｔ１、Ｔ２（図１参照）にそれぞれ接続され敷居溝４を塞ぐ２つの塞ぎ部材１１ａ、１１ｂと、敷居溝４に沿って各塞ぎ部材１１ａ、１１ｂをそれぞれ巻き取る２つの巻取部１２ａ、１２ｂとを備えている。このエレベータ敷居溝塞ぎ装置６Ａは、敷居５の略中央部分に設けられている。
【００１３】
図５に示すように、敷居溝４には、塞ぎ部材１１ａ、１１ｂを案内するガイド溝４ａ、４ｂが形成されている。これらのガイド溝４ａ、４ｂは、敷居溝４の両側壁の上部に設けられており、その溝方向、すなわち開閉方向に塞ぎ部材１１ａ、１１ｂを案内する。また、各ガイド溝４ａ、４ｂは、各塞ぎ部材１１ａ、１１ｂが敷居溝４から浮きあがりめくれてしまうことを防止している。
【００１４】
各塞ぎ部材１１ａ、１１ｂは、樹脂材料により平板状に形成されている。これらの塞ぎ部材１１ａ、１１ｂの長さは、各ドア２ａ、２ｂが開放された場合でも、敷居溝４を完全に塞ぐ長さに設定されている。また、各塞ぎ部材１１ａ、１１ｂは、敷居５と同色に塗装されている。これにより、塞ぎ部材１１ａ、１１ｂが目立たなくなる。
【００１５】
各塞ぎ部材１１ａ、１１ｂの一端は、各巻取部１２ａ、１２ｂにそれぞれ接続されている。一方、各塞ぎ部材１１ａ、１１ｂの他端は、各ドア２ａ、２ｂの敷居溝４側の端部Ｔ１、Ｔ２に接続されている。詳しくは、各塞ぎ部材１１ａ、１１ｂの他端は、各ドア２ａ、２ｂの各ガイドシュー１０ａ、１０ｂ、１０ｃ、１０ｄを避けて、それぞれの端部Ｔ１、Ｔ２の三方枠Ｗ側に接続されている。
【００１６】
各巻取部１２ａ、１２ｂは、各塞ぎ部材１１ａ、１１ｂを巻き取るための巻取力を発生する巻取バネをそれぞれ内蔵している。これらの巻取部１２ａ、１２ｂは、巻取バネによる巻取力により各塞ぎ部材１１ａ、１１ｂを巻き取り、開状態の各ドア２ａ、２ｂをスライド（摺動）させて閉じる。なお、巻取バネの巻取力は、開状態の各ドア２ａ、２ｂをスライドさせて閉じることが可能な力に設定されている。
【００１７】
次に、このような構成のエレベータドア装置１Ａのドア開閉動作について説明する。
【００１８】
エレベータドア装置１Ａの各ドア２ａ、２ｂは、乗りかごのかごドアと連動して開かれる（図３参照）。このとき、各塞ぎ部材１１ａ、１１ｂは、かごドアの移動に応じて、それぞれの巻取部１２ａ、１２ｂから引き出される。引き出された塞ぎ部材１１ａ、１１ｂは、敷居溝４の各ガイド溝４ａ、４ｂにより案内され、敷居溝４に沿って移動して敷居溝４を完全に塞ぐ。
【００１９】
また、エレベータドア装置１Ａの各ドア２ａ、２ｂは、乗りかごのかごドアと連動して閉じられる（図２参照）。このとき、各巻取部１２ａ、１２ｂは、各塞ぎ部材１１ａ、１１ｂを巻取る。各塞ぎ部材１１ａ、１１ｂは、それぞれの巻取部１２ａ、１２ｂにより巻き取れられ、敷居溝４に沿って移動する。これに応じて、各ドア２ａ、２ｂも閉方向に移動して閉まる。
【００２０】
このようなドア開閉動作中に、各ドア２ａ、２ｂが開放された場合でも、敷居溝４は各塞ぎ部材１１ａ、１１ｂにより完全に塞がれる。これにより、敷居溝４が露出することがなくなり、敷居溝４にゴミ等の異物が入り込むことがなくなる。
【００２１】
以上説明したように、第１の実施の形態によれば、敷居溝４を塞ぐ２つの塞ぎ部材１１ａ、１１ｂと、敷居溝４に沿って各塞ぎ部材１１ａ、１１ｂをそれぞれ巻き取る２つの巻取部１２ａ、１２ｂとを設けることによって、各ドア２ａ、２ｂの開放時にも、塞ぎ部材１１ａ、１１ｂにより敷居溝４が塞がれ、敷居溝４が露出することがなくなる。これにより、ゴミや小石等の異物が敷居溝４に挟まることがなくなるので、各ドア２ａ、２ｂの開閉不良を防止し、さらに、定期的な清掃を不要にすることができる。また、各ドア２ａ、２ｂの開放時に敷居溝４が露出しないので、意匠性を向上させることができる。
【００２２】
さらに、各塞ぎ部材１１ａ、１１ｂは樹脂材料により形成されていることから、それらの塞ぎ部材１１ａ、１１ｂの摺動性が向上するので、各ドア２ａ、２ｂのスムーズな開閉動作を実現し、各ドア２ａ、２ｂの開閉動作に応じた音の発生を抑えることができる。
【００２３】
また、各巻取部１２ａ、１２ｂが各ドア２ａ、２ｂをそれぞれ摺動させることによって、各ドア２ａ、２ｂがそれぞれの巻取部１２ａ、１２ｂにより閉じられるので、乗りかごのかごドア開閉に伴う駆動力に頼らずに各ドア２ａ、２ｂを自閉させることができる。
【００２４】
（第２の実施の形態）
本発明の第２の実施の形態について図６ないし図１１を参照して説明する。
【００２５】
本発明の第２の実施の形態は、基本的に第１の実施の形態と同様である。第２の実施の形態では、第１の実施の形態との相違点について説明する。なお、第１の実施の形態で説明した部分と同一部分は同一符号で示し、その説明は省略する（他の実施の形態も同様とする）。
【００２６】
図６及び図７に示すように、本発明の第２の実施の形態に係るエレベータドア装置１Ｂは、片開き方式のエレベータドア装置である。なお、敷居５には、低速ドアパネルであるドア２ａ用の敷居溝４Ａと、高速ドアパネルであるドア２ｂ用の敷居溝４Ｂとが設けられている。
【００２７】
図６ないし図８に示すように、エレベータ敷居溝塞ぎ装置６Ｂは、各ドア２ａ、２ｂの敷居溝４Ａ、４Ｂ側の各端部Ｔ１、Ｔ２（図１参照）にそれぞれ接続され敷居溝４Ａ、４Ｂを塞ぐ２つの塞ぎ部材１１ａ、１１ｂと、各敷居溝４Ａ、４Ｂに沿って各塞ぎ部材１１ａ、１１ｂをそれぞれ巻き取る巻取部１２ａ、１２ｂと、さらに、各塞ぎ部材１１ａ、１１ｂに接触し、各塞ぎ部材１１ａ、１１ｂを清掃する清掃部２１と、各塞ぎ部材１１ａ、１１ｂに接触し、各塞ぎ部材１１ａ、１１ｂに潤滑油を供給する油供給部２２とを備えている。
【００２８】
図９に示すように、敷居溝４Ａには、塞ぎ部材１１ａを案内するガイド溝４ｃ、４ｄが形成されている。同様に、敷居溝４Ｂにも、塞ぎ部材１１ｂを案内するガイド溝４ｅ、４ｆが形成されている。これらのガイド溝４ｃ、４ｄ、４ｅ、４ｆは、各敷居溝４Ａ、４Ｂの両側壁の上部に設けられており、その溝方向、すなわち開閉方向に各塞ぎ部材１１ａ、１１ｂを案内する。また、各ガイド溝４ｃ、４ｄ、４ｅ、４ｆは、各塞ぎ部材１１ａ、１１ｂが各々の敷居溝４Ａ、４Ｂから浮き上がりめくれてしまうことを防止する。
【００２９】
図１０に示すように、清掃部２１は、各塞ぎ部材１１ａ、１１ｂにそれぞれ接触する２つの清掃接触部材２１ａ、２１ｂと、それらの清掃接触部材２１ａ、２１ｂを支持する清掃支持部材２１ｃとから構成されている。この清掃部２１は、各清掃接触部材２１ａ、２１ｂが各塞ぎ部材１１ａ、１１ｂに接触するように設けられている。
【００３０】
各清掃接触部材２１ａ、２１ｂは、各塞ぎ部材１１ａ、１１ｂを上下（図１０中）から挟持するように清掃支持部材２１ｃにそれぞれ固定されており、各塞ぎ部材１１ａ、１１ｂの平面に接触する。ここで、清掃接触部材２１ａ、２１ｂとしては、例えば、ブラシやスポンジ等を用いる。
【００３１】
このような清掃部２１は、各清掃接触部材２１ａ、２１ｂにより、各塞ぎ部材１１ａ、１１ｂの平面に接触し、各ドア２ａ、２ｂの開閉に応じて各塞ぎ部材１１ａ、１１ｂから異物を除去し、各塞ぎ部材１１ａ、１１ｂを清掃する。
【００３２】
図１１に示すように、油供給部２２は、各塞ぎ部材１１ａ、１１ｂにそれぞれ接触する４つの供給接触部材２２ａ、２２ｂ、２２ｃ、２２ｄと、それらの供給接触部材２２ａ、２２ｂ、２２ｃ、２２ｄを支持する供給支持部材２２ｅとから構成されている。この油供給部２２は、各供給接触部材２２ａ、２２ｂ、２２ｃ、２２ｄが各塞ぎ部材１１ａ、１１ｂに接触するように設けられている。
【００３３】
各供給接触部材２２ａ、２２ｂ、２２ｃ、２２ｄは、塞ぎ部材１１ａ、１１ｂを左右（図１１中）から挟持するように供給支持部材２２ｅにそれぞれ固定されており、塞ぎ部材１１ａ、１１ｂの側面に接触する。ここで、供給接触部材２２ａ、２２ｂ、２２ｃ、２２ｄとしては、例えば、ブラシやスポンジ等を用いる。
【００３４】
このような油供給部２２は、潤滑油を内蔵しており、その潤滑油を各供給接触部材２２ａ、２２ｂ、２２ｃ、２２ｄに付与し、潤滑油により湿潤した各供給接触部材２２ａ、２２ｂ、２２ｃ、２２ｄにより各塞ぎ部材１１ａ、１１ｂの側面に接触し、各ドア２ａ、２ｂの開閉に応じて、各塞ぎ部材１１ａ、１１ｂの側面に潤滑油を供給する。
【００３５】
次に、このような構成のエレベータドア装置１Ｂのドア開閉動作について説明する。
【００３６】
エレベータドア装置１Ｂの各ドア２ａ、２ｂは、乗りかごのかごドアと連動して開かれる（図７参照）。このとき、各塞ぎ部材１１ａ、１１ｂは、かごドアの移動に応じて、それぞれの巻取部１２ａ、１２ｂから引き出される。引き出された塞ぎ部材１１ａ、１１ｂは、各敷居溝４Ａ、４Ｂの各ガイド溝４ｃ、４ｄ、４ｅ、４ｆにより案内され、各敷居溝４Ａ、４Ｂに沿って移動して敷居溝４Ａ、４Ｂを完全に塞ぐ。なお、各塞ぎ部材１１ａ、１１ｂの側面には、油供給部２２により潤滑油が供給され、各塞ぎ部材１１ａ、１１ｂはスムーズに各敷居溝４Ａ、４Ｂに沿って移動する。
【００３７】
また、エレベータドア装置１Ｂの各ドア２ａ、２ｂは、乗りかごのかごドアと連動して閉じられる（図６参照）。このとき、各巻取部１２ａ、１２ｂは、各塞ぎ部材１１ａ、１１ｂを巻取る。各塞ぎ部材１１ａ、１１ｂは、それぞれの巻取部１２ａ、１２ｂにより巻き取れられ、各敷居溝４Ａ、４Ｂに沿って移動する。これに応じて、各塞ぎ部材１１ａ、１１ｂは清掃部２１により清掃され、各ドア２ａ、２ｂも閉方向に移動して閉まる。
【００３８】
このようなドア開閉動作中に、各ドア２ａ、２ｂが開放された場合でも、各敷居溝４Ａ、４Ｂが各塞ぎ部材１１ａ、１１ｂにより完全に塞がれる。これにより、各敷居溝４Ａ、４Ｂが露出することがなくなり、各敷居溝４Ａ、４Ｂにゴミ等の異物が入り込むことがなくなる。
【００３９】
以上説明したように、第２の実施の形態によれば、第１の実施の形態と同様の効果を得ることができる。さらに、各塞ぎ部材１１ａ、１１ｂに接触し、各塞ぎ部材１１ａ、１１ｂを清掃する清掃部２１を設けることによって、各塞ぎ部材１１ａ、１１ｂに付着したゴミ等の異物を除去することが可能になるので、各塞ぎ部材１１ａ、１１ｂに対する定期的な清掃を不要にすることができる。加えて、各巻取部１２ａ、１２ｂに対する異物の侵入が防止されるので、その異物の侵入による各巻取部１２ａ、１２ｂの故障を防止することができる。
【００４０】
また、塞ぎ部材１１ａ、１１ｂに接触し、塞ぎ部材１１ａ、１１ｂに潤滑油を供給する油供給部２２を設けることによって、各塞ぎ部材１１ａ、１１ｂと各敷居溝４Ａ、４Ｂとの摺動抵抗を低減させることが可能になるので、各塞ぎ部材１１ａ、１１ｂの磨耗を抑えることができ、さらに、各ドア２ａ、２ｂのスムーズな開閉動作を実現し、各ドア２ａ、２ｂの開閉動作に応じた音の発生を抑えることができる。
【００４１】
（第３の実施の形態）
本発明の第３の実施の形態について図１２を参照して説明する。
【００４２】
本発明の第３の実施の形態は、基本的に第１の実施の形態と同様である。第３の実施の形態では、第１の実施の形態との相違点について説明する。
【００４３】
図１２に示すように、エレベータ敷居溝塞ぎ装置６Ｃは、各ドア２ａ、２ｂの敷居溝４側の各端部Ｔ１、Ｔ２（図１参照）にそれぞれ接続され敷居溝４を塞ぐ２つの塞ぎ部材１１ａ、１１ｂと、敷居溝４に沿って各塞ぎ部材１１ａ、１１ｂをそれぞれ巻き取る巻取部１２ｃ、１２ｄとを備えている。すなわち、各巻取部１２ｃ、１２ｄが、第１の実施の形態の各巻取部１２ａ、１２ｂに換えて設けられている。
【００４４】
各巻取部１２ｃ、１２ｄは、塞ぎ部材１１ａ、１１ｂが架けられ回転可能に設けられた回転ローラ３１ａ、３１ｂと、その回転ローラ３１ａ、３１ｂの一端に設けられたおもり３２ａ、３２ｂとからそれぞれ構成されている。なお、各塞ぎ部材１１ａ、１１ｂの一端は、各巻取部１２ｃ、１２ｄにそれぞれ接続されている。
【００４５】
これらの巻取部１２ｃ、１２ｄは、各おもり３２ａ、３２ｂによる巻取力により各塞ぎ部材１１ａ、１１ｂを巻き取り、開状態の各ドア２ａ、２ｂをスライドさせて閉じる。なお、おもり３２ａ、３２ｂの重さは、開状態の各ドア２ａ、２ｂをスライドさせて閉じることが可能な巻取力を発生させるように設定されている。
【００４６】
以上説明したように、第３の実施の形態によれば、第１の実施の形態と同様の効果を得ることができる。さらに、巻取部１２ｃ、１２ｄの巻取力としておもり３２ａ、３２ｂを用いることによって、巻取機構が簡略化されるので、巻取部１２ｃ、１２ｄのメンテンスを容易に行うことができ、さらに、巻取部１２ｃ、１２ｄの故障の発生を防止することができる。
【００４７】
（第４の実施の形態）
本発明の第４の実施の形態について図１３を参照して説明する。
【００４８】
本発明の第４の実施の形態は、基本的に第２の実施の形態と同様である。第４の実施の形態では、第２の実施の形態との相違点について説明する。
【００４９】
図１３に示すように、エレベータ敷居溝塞ぎ装置６Ｄは、各ドア２ａ、２ｂの敷居溝４Ａ、４Ｂ側の各端部Ｔ１、Ｔ２（図１参照）にそれぞれ接続され敷居溝４Ａ、４Ｂを塞ぐ２つの塞ぎ部材１１ａ、１１ｂと、各敷居溝４Ａ、４Ｂに沿って各塞ぎ部材１１ａ、１１ｂをそれぞれ巻き取る巻取部１２ｃ、１２ｄとを備えている。すなわち、各巻取部１２ｃ、１２ｄが、第２の実施の形態の各巻取部１２ａ、１２ｂに換えて設けられている。
【００５０】
各巻取部１２ｃ、１２ｄは、塞ぎ部材１１ａ、１１ｂが架けられ回転可能に設けられた回転ローラ３１ａ、３１ｂと、その回転ローラ３１ａ、３１ｂの一端に設けられたおもり３２ａ、３２ｂとからそれぞれ構成されている。なお、各塞ぎ部材１１ａ、１１ｂの一端は、各巻取部１２ｃ、１２ｄにそれぞれ接続されている。
【００５１】
これらの巻取部１２ｃ、１２ｄは、各おもり３２ａ、３２ｂによる巻取力により各塞ぎ部材１１ａ、１１ｂを巻き取り、開状態の各ドア２ａ、２ｂをスライドさせて閉じる。なお、おもり３２ａ、３２ｂの重さは、開状態の各ドア２ａ、２ｂをスライドさせて閉じることが可能な巻取力を発生させるように設定されている。
【００５２】
以上説明したように、第４の実施の形態によれば、第１の実施の形態と同様の効果を得ることができる。さらに、巻取部１２ｃ、１２ｄの巻取力としておもり３２ａ、３２ｂを用いることによって、巻取機構が簡略化されるので、巻取部１２ｃ、１２ｄのメンテンスを容易に行うことができ、さらに、巻取部１２ｃ、１２ｄの故障の発生を防止することができる。
【００５３】
（第５の実施の形態）
本発明の第５の実施の形態について図１４及び図１５を参照して説明する。
【００５４】
本発明の第５の実施の形態は、基本的に第１の実施の形態と同様である。第５の実施の形態では、第１の実施の形態との相違点について説明する。
【００５５】
図１４及び図１５に示すように、エレベータドア装置１Ｃが有するエレベータ敷居溝塞ぎ装置６Ｅは、敷居溝４を塞ぐように敷居５に離反可能に設けられた塞ぎ部材１１ｃと、その塞ぎ部材１１ｃが各ドア２ａ、２ｂの内部を通過するように塞ぎ部材１１ｃを支持する塞ぎ支持部４１とを備えている。
【００５６】
塞ぎ部材１１ｃは敷居溝４の上部に離反可能に載置されている。この塞ぎ部材１１ｃの両端は敷居５に固定されている。なお、塞ぎ部材１１ｃは、塞ぎ支持部４１により敷居溝４から離反して各ドア２ａ、２ｂの内部を通過している。
【００５７】
塞ぎ支持部４１は、敷居溝４から塞ぎ部材１１ｃを離反させるための支持ローラ４１ａと、離反した塞ぎ部材１１ｃを敷居溝４に押し戻す２つの押下ローラ４１ｂ、４１ｃとから構成されている。
【００５８】
支持ローラ４１ａは回転可能に設けられている。この支持ローラ４１ａには、塞ぎ部材１１ｃが架けられている。なお、支持ローラ４１ａは、２つの押下ローラ４１ｂ、４１ｃより敷居溝４から離反させて設けられている。
【００５９】
各押下ローラ４１ｂ、４１ｃは、それぞれドア２ａ、２ｂの敷居溝４側の端部であってその端部の両側に回転可能に設けられている。これらの押下ローラ４１ｂ、４１ｃは、支持ローラ４１ａにより支持された塞ぎ部材１１ｃを敷居溝４の方向に押し戻し、敷居溝４を塞ぐ元の位置に戻す。
【００６０】
次に、このような構成のエレベータドア装置１Ｃのドア開閉動作について説明する。
【００６１】
エレベータドア装置１Ｃの各ドア２ａ、２ｂは、乗りかごのかごドアと連動して開閉される。このとき、各塞ぎ部材１１ｃは、かごドアの移動に応じて、各ガイドシュー１０ａ、１０ｂを避けて持ち上げられ、各ドア２ａ、２ｂは塞ぎ部材１１ｃに妨げられることなく開閉する。この際、塞ぎ部材１１ｃは、各ドア２ａ、２ｂに対向する位置以外の敷居溝４を完全に塞いでいる。
【００６２】
このようなドア開閉動作中に、各ドア２ａ、２ｂが開放された場合でも、敷居溝４が塞ぎ部材１１ｃにより完全に塞がれる。これにより、敷居溝４が露出することがなくなり、敷居溝４にゴミ等の異物が入り込むことがなくなる。
【００６３】
以上説明したように、第５の実施の形態によれば、第１の実施の形態と同様の効果を得ることができる。すなわち、敷居溝４を塞ぐように敷居５に離反可能に設けられた塞ぎ部材１１ｃと、その塞ぎ部材１１ｃが各ドア２ａ、２ｂの内部を通過するように塞ぎ部材１１ｃを支持する塞ぎ支持部４１とを設けることによって、塞ぎ部材１１ｃによりドア２ａ、２ｂの開閉動作を妨げることなく、敷居溝４が絶えず塞がれ、敷居溝４が露出することがなくなる。これにより、ゴミや小石等の異物が敷居溝４に挟まることがなくなるので、各ドア２ａ、２ｂの開閉不良を防止し、さらに、定期的な清掃を不要にすることができる。また、各ドア２ａ、２ｂの開放時に敷居溝４が露出しないので、意匠性を向上させることができる。
【００６４】
さらに、塞ぎ支持部４１を設けることによって、敷居溝４を塞ぐ機構が簡略化されるので、塞ぎ支持部４１に対するメンテナンスを容易に行うことができ、さらに、塞ぎ支持部４１の故障の発生を防止することができる。
【００６５】
（他の実施の形態）
なお、本発明は、前述の実施の形態に限るものではなく、その要旨を逸脱しない範囲において種々変更可能である。
【００６６】
例えば、前述の実施の形態においては、エレベータドア装置１Ａ、１Ｂ、１Ｃを乗り場側、すなわち昇降路の内壁に設けているが、これに限るものではなく、例えばエレベータドア装置１Ａ、１Ｂ、１Ｃを乗りかごに設けるようにしてもよい。この場合でも、前述の実施の形態と同様の効果を得ることができる。
【００６７】
さらに、前述の実施の形態においては、塞ぎ部材１１ａ、１１ｂ、１１ｃを樹脂材料により形成しているが、これに限るものではなく、例えば金属材料等により形成するようにしてもよい。また、塞ぎ部材１１ａ、１１ｂ、１１ｃを敷居５と同色に塗装しているが、これに限るものではなく、例えば、敷居５と異なる各種の色に塞ぎ部材１１ａ、１１ｂ、１１ｃを塗装するようにしてもよい。この場合には、意匠の自由度が増し、意匠性を向上させることができる。
【００６８】
また、前述の実施の形態においては、各ドア２ａ、２ｂを巻取部１２ａ、１２ｂによりスライドさせて閉じるようにしているが、これに限るものではなく、例えば乗りかご側から供給される駆動力によりスライドさせて閉じるようにしてもよい。
【図面の簡単な説明】
【００６９】
【図１】本発明の第１の実施の形態に係るエレベータドア装置の概略構成を示す正面図である。
【図２】図１に示すエレベータドア装置のドア閉状態を示す平面図である。
【図３】図１に示すエレベータドア装置のドア開状態を示す平面図である。
【図４】図３のＡ−Ａ線断面図である。
【図５】図３のＢ−Ｂ線断面図である。
【図６】本発明の第２の実施の形態に係るエレベータドア装置のドア閉状態を示す平面図である。
【図７】図６に示すエレベータドア装置のドア開状態を示す平面図である。
【図８】図６のＣ−Ｃ線断面図である。
【図９】図６のＤ−Ｄ線断面図である。
【図１０】図６及び図７に示すエレベータドア装置が備えるエレベータ敷居溝塞ぎ装置の清掃部の概略構成を示す側面図である。
【図１１】図６及び図７に示すエレベータドア装置が備えるエレベータ敷居溝塞ぎ装置の油供給部の概略構成を示す側面図である。
【図１２】本発明の第３の実施の形態に係るエレベータドア装置が備えるエレベータ敷居溝塞ぎ装置の概略構成を示す断面図である。
【図１３】本発明の第４の実施の形態に係るエレベータドア装置が備えるエレベータ敷居溝塞ぎ装置の概略構成を示す断面図である。
【図１４】本発明の第５の実施の形態に係るエレベータドア装置が備えるエレベータ敷居溝塞ぎ装置の概略構成を示す正面図である。
【図１５】図１４のＥ−Ｅ線断面図である。
【符号の説明】
【００７０】
６Ａ        エレベータ敷居溝塞ぎ装置
６Ｂ        エレベータ敷居溝塞ぎ装置
６Ｃ        エレベータ敷居溝塞ぎ装置
６Ｄ        エレベータ敷居溝塞ぎ装置
２ａ        ドア
２ｂ        ドア
４          敷居溝
４Ａ        敷居溝
４Ｂ        敷居溝
１１ａ      塞ぎ部材
１１ｂ      塞ぎ部材
１２ａ      巻取部
１２ｂ      巻取部
１２ｃ      巻取部
１２ｄ      巻取部
２１        清掃部
２２        油供給部
Ｔ１        端部
Ｔ２        端部
【図１】
2007176687.tif 000003
【図２】
2007176687.tif 000004
【図３】
2007176687.tif 000005
【図４】
2007176687.tif 000006
【図５】
2007176687.tif 000007
【図６】
2007176687.tif 000008
【図７】
2007176687.tif 000009
【図８】
2007176687.tif 000010
【図９】
2007176687.tif 000011
【図１０】
2007176687.tif 000012
【図１１】
2007176687.tif 000013
【図１２】
2007176687.tif 000014
【図１３】
2007176687.tif 000015
【図１４】
2007176687.tif 000016
【図１５】
2007176687.tif 000017